(57)【要約】【課題】それぞれの操作ボタンがどちらの出入口に対応しているかを視覚障害者が容易に把握することができる２方向出入口エレベータ用かご操作盤を提供する。【解決手段】実施形態の２方向出入口エレベータ用かご操作盤は、２方向に出入口を有する乗りかごの側板に設置されるかご操作盤であって、２方向の出入口のうちの一方に対応する操作ボタンの周囲に、当該操作ボタンが対応する出入口の方向を示す凸部を備えた方向案内部材が配置されている。【選択図】図３
2019142708.tif 000002
【特許請求の範囲】
【請求項１】
２方向に出入口を有する乗りかごの側板に設置されるかご操作盤であって、
２方向の出入口のうちの一方に対応する操作ボタンの周囲に、当該操作ボタンが対応する出入口の方向を示す凸部を備えた方向案内部材が配置されていることを特徴とする２方向出入口エレベータ用かご操作盤。
【請求項２】
前記かご操作盤の横方向の中央を境界とし、前記かご操作盤に向かって右側の出入口に対応する操作ボタンが前記境界よりも右側に配置され、前記かご操作盤に向かって左側の出入口に対応する操作ボタンが前記境界よりも左側に配置されていることを特徴とする請求項１に記載の２方向出入口エレベータ用かご操作盤。
【請求項３】
前記操作ボタンは、行先階を登録するために操作する行先階登録ボタンを含み、
前記行先階登録ボタンの周囲に配置される前記方向案内部材は、前記凸部に対する接触または押圧を検知するセンサを備え、
前記凸部に対する接触または押圧が前記センサにより検知されたときに、前記行先階の階床名とフロア案内の少なくとも一方を音声出力することを特徴とする請求項１または２に記載の２方向出入口エレベータ用かご操作盤。
【請求項４】
前記凸部は、対応する出入口の方向に頂角を持つ形状を有し、
前記センサは、前記凸部の前記頂角に対する接触または押圧を検知することを特徴とする請求項３に記載の２方向出入口エレベータ用かご操作盤。
【請求項５】
前記操作ボタンは、対応する出入口のドアを開くために操作するドア開ボタンを含み、
前記乗りかごの着床時に、ドアが開放される出入口に対応する前記ドア開ボタンを点滅させることを特徴とする請求項１乃至４のいずれか一項に記載の２方向出入口エレベータ用かご操作盤。
【請求項６】
前記乗りかごの進行方向を表示するインジケータを備え、
前記乗りかごの着床時に、前記インジケータが、ドアが開く出入口の方向を表示することを特徴とする請求項１乃至５のいずれか一項に記載の２方向出入口エレベータ用かご操作盤。
【発明の詳細な説明】
【技術分野】
【０００１】
本発明の実施形態は、２方向出入口エレベータ用かご操作盤に関する。
【背景技術】
【０００２】
２方向出入口エレベータは、２方向に出入口を有する乗りかごを呼び登録された階に移動させ、乗場のある方向の出入口のドアを開放して乗客を乗降させる。乗りかご内には、行先階登録ボタンやドア開ボタンなどの操作ボタンを有するかご操作盤が設置されるが、２方向出入口エレベータ用かご操作盤では、特に、それぞれの操作ボタンが２方向の出入口のどちらに対応したものかを乗客に把握させることが重要である。そこで、操作ボタンの配置や案内表示などにより、それぞれの操作ボタンが対応している出入口の方向を示す構成のかご操作盤も提案されている。しかし、操作ボタンの配置や案内表示により出入口の方向を示す構成では、視覚障害者に対して各操作ボタンが対応している出入口の方向を把握させることが困難であり、改善が求められる。
【先行技術文献】
【特許文献】
【０００３】
【特許文献１】特開２００５−２８０８８６号公報
【特許文献２】特許第３３６１９８５号公報
【発明の概要】
【発明が解決しようとする課題】
【０００４】
本発明が解決しようとする課題は、操作ボタンがどちらの出入口に対応しているかを視覚障害者が容易に把握することができる２方向出入口エレベータ用かご操作盤を提供することである。
【課題を解決するための手段】
【０００５】
実施形態の２方向出入口エレベータ用かご操作盤は、２方向に出入口を有する乗りかごの側板に設置されるかご操作盤であって、２方向の出入口のうちの一方に対応する操作ボタンの周囲に、当該操作ボタンが対応する出入口の方向を示す凸部を備えた方向案内部材が配置されている。
【図面の簡単な説明】
【０００６】
【図１】図１は、２方向出入口エレベータの乗りかごの内部を天板側から見た平面図である。
【図２】図２は、乗りかごの内部を図１中の矢印Ａ方向に見た正面図である。
【図３】図３は、かご操作盤の一例を示す正面図である。
【図４】図４は、操作ボタンとその周囲を拡大して示す図である。
【図５】図５は、図４のＢ−Ｂ線断面図である。
【図６】図６は、方向案内部材の変形例を示す図である。
【図７】図７は、方向案内部材の変形例を示す図である。
【図８】図８は、かご操作盤の制御機能を説明するためのブロック図である。
【図９】図９は、着床時のかご操作盤の状態を示す図である。
【図１０】図１０は、着床時のかご操作盤の状態を示す図である。
【発明を実施するための形態】
【０００７】
以下、実施形態の２方向出入口エレベータ用かご操作盤（以下、単に「かご操作盤」と呼ぶ）について、図面を参照しながら詳細に説明する。本実施形態に係るかご操作盤は、２方向の出入口のうちの一方に対応する操作ボタンの周囲に、当該操作ボタンが対応する出入口の方向を示す凸部を備えた方向案内部材を配置することで、それぞれの操作ボタンがどちらの出入口に対応しているかを、視覚障害者が容易に把握できるようにしたものである。
【０００８】
図１は、２方向出入口エレベータの乗りかご１の内部を天板側から見た平面図であり、図２は、乗りかご１の内部を図１中の矢印Ａ方向に見た正面図である。これら図１および図２に示すように、２方向出入口エレベータの乗りかご１は、２方向に出入口２ａ，２ｂを有する。これらの出入口２ａ，２ｂは、それぞれドア３ａ，３ｂにより開閉される。出入口２ａの左右両側のリターンパネル４ａと、出入口２ｂの左右両側のリターンパネル４ｂとの間にそれぞれ側板５が配置され、かご室が形成されている。本実施形態に係るかご操作盤１０は、出入口２ａと出入口２ｂとを繋ぐ２つの側板５のうちの一方に設置される。
【０００９】
図３は、かご操作盤１０の一例を示す正面図である。かご操作盤１０は、例えば図３に示すように、縦寸法よりも横寸法の方が大きい横型の操作盤として構成され、側板５に設定される。このかご操作盤１０は、乗りかご１内の乗客が操作する各種の操作ボタンと、乗りかご１の現在位置や進行方向を表示するインジケータ１２ａ，１２ｂと、乗りかご１内の乗客に向けて音声を出力するスピーカ１３とを備える。なお、図３の例では、乗りかご１の現在位置を表示するインジケータ１２ａと進行方向を表示するインジケータ１２ｂを個別に設けているが、乗りかご１の現在位置と進行方向を１つのインジケータで表示する構成であってもよい。
【００１０】
かご操作盤１０が備える操作ボタンとしては、行先階を登録するために操作する行先階登録ボタン１１ａ、ドア３ａ，３ｂを開くために操作するドア開ボタン１１ｂ、ドア３ａ，３ｂを閉じるために操作するドア閉ボタン１１ｃ、非常時に外部と連絡を取るために操作する非常呼びボタン１１ｄなどがある。以下、これらを特に区別しない場合は、操作ボタン１１と表記する。
【００１１】
これらの操作ボタン１１のうち、行先階登録ボタン１１ａとドア開ボタン１１ｂは、それぞれ２方向の出入口２ａ，２ｂのうちの一方に対応して設けられる。すなわち、行先階登録ボタン１１ａは、その行先階において乗場のある方向の出入口に対応して設けられる。例えば図３の例では、１階および２階は２方向のどちらにも乗場があるため、１階を行先階に登録するための行先階登録ボタン１１ａと２階を行先階に登録するための行先階登録ボタン１１ａは、出入口２ａに対応するものと出入口２ａに対応するものとが設けられる。また、３階および４階は出入口２ａの方向のみに乗場があるため、３階を行先階に登録するための行先階登録ボタン１１ａと４階を行先階に登録するための行先階登録ボタン１１ａは、出入口２ａに対応するもののみが設けられる。また、５階は出入口２ｂの方向のみに乗場があるため、５階を行先階に登録するための行先階登録ボタン１１ａは、出入口２ｂに対応するもののみが設けられる。また、ドア開ボタン１１ｂは、出入口２ａのドア３ａに対応するものと出入口２ａのドア３ｂに対応するものとが設けられる。
【００１２】
本実施形態に係るかご操作盤１０では、これら行先階登録ボタン１１ａやドア開ボタン１１ｂのように、２方向の出入口２ａ，２ｂのうちの一方に対応する操作ボタン１１が２方向の出入口２ａ，２ｂのどちらに対応したものかを視覚的に把握できるようにするために、操作ボタン１１の配置を工夫している。すなわち、本実施形態に係るかご操作盤１０では、図３に示すように、かご操作盤１０の横方向の中央を境界Ｃとし、かご操作盤１０に向かって右側の出入口２ａに対応する操作ボタン１１が境界Ｃよりも右側に配置され、かご操作盤１０に向かって左側の出入口２ｂに対応する操作ボタン１１が境界Ｃよりも左側に配置されている。
【００１３】
さらに、本実施形態に係るかご操作盤１０では、これらの操作ボタン１１が２方向の出入口２ａ，２ｂのどちらに対応したものかを、視覚障害者が容易に把握できるようにするために、これら操作ボタン１１の周囲にそれぞれ、当該操作ボタン１１が対応する出入口の方向を示す凸部１４を備えた方向案内部材１５が配置されている。
【００１４】
図４は、２方向の出入口２ａ，２ｂのうちの一方に対応する操作ボタン１１とその周囲を拡大して示す図であり、図５は、図４のＢ−Ｂ線断面図である。図４および図５に示す例では、２方向の出入口２ａ，２ｂのうちの一方に対応する操作ボタン１１として、１階を行先階に登録するための行先階登録ボタン１１ａを例示している。
【００１５】
操作ボタン１１は、図５に示すように、乗客により操作されるボタントップ２１と、ボタントップ２１に対する操作を検知してエレベータ制御装置に信号を送るボタン基板２２とからなる。ボタン基板２２は、ネジなどの締結部材２３により、フェースプレート２４の裏面側に配置された裏打ち板２５に締結され、この裏打ち板２５に支持される。ボタントップ２１は、操作面がフェースプレート２４に設けられた開口部から外部に露出するように、ボタン基板２２上に支持される。そして、このボタントップ２１の周囲を囲むように、方向案内部材１５が配置される。
【００１６】
一般的な操作ボタン１１では、ボタントップ２１の周囲に例えば樹脂成型品として構成されるボタン枠が配置される。本実施形態では、このボタン枠に代えて、操作ボタン１１が対応する出入口の方向を示す凸部１４を備えた方向案内部材１５が配置される。方向案内部材１５は、例えばボタン枠と同様に樹脂成型品として構成され、ボタン枠と同様にフェースプレート２４に設けられた開口部の端縁に嵌め込むように装着される。したがって、この方向案内部材１５は、凸部１４を備えた特殊形状のボタン枠とみなすこともできる。
【００１７】
方向案内部材１５の凸部１４は、例えば図４に示すような矢印の矢尻部分の形状など、２方向の出入口２ａ，２ｂのうち操作ボタン１１が対応している出入口の方向に頂角を持つ形状を有する。したがって、この方向案内部材１５の凸部１４に対する触知より、操作ボタン１１が対応している出入口の方向を認識することができる。本実施形態に係るかご操作盤１０では、２方向の出入口２ａ，２ｂのうちの一方に対応する操作ボタン１１の周囲にこのような構成の方向案内部材１５が各々配置されているので、それぞれの操作ボタン１１が２方向の出入口２ａ，２ｂのどちらに対応しているかを、視覚障害者が容易に把握することができる。
【００１８】
なお、方向案内部材１５の凸部１４の形状は、操作ボタン１１が対応している出入口の方向を触知により認識できる形状であればよく、例えば図６に示すように、操作ボタン１１が対応している出入口の方向に頂角を持つ三角形状であってもよい。
【００１９】
また、図４および図５では、一般的な操作ボタン１１のボタン枠の代わりに方向案内部材１５を設けた例、換言すると、特殊形状のボタン枠として方向案内部材１５を設けた例を示したが、ボタン枠とは別部材の方向案内部材１５を設けるようにしてもよい。例えば図７に示すように、一般的な操作ボタン１１と同様に設けられたボタントップ２１の周囲にボタン枠２６を配置し、さらにその周囲に、凸部１４を備えた方向案内部材１５を配置する構成であってもよい。この場合、方向案内部材１５は、凸部１４が変形しない程度の厚みを持った樹脂フィルムあるいは樹脂の薄板など、シート状の樹脂成型品により構成される。方向案内部材１５をボタン枠２６とは別部材として構成することにより、２方向出入口エレベータ用に特殊形状のボタン枠を用意する必要がなく、製造コストや部品管理コストの抑制が期待できる。
【００２０】
２方向の出入口２ａ，２ｂのうちの一方に対応する操作ボタン１１のうち、特に行先階登録ボタン１１ａの周囲に配置される方向案内部材１５は、その行先階登録ボタン１１ａの操作によって登録される行先階の階床名やフロア案内を視覚障害者に報知する機能を持たせてもよい。例えば図５に示すように、方向案内部材１５の凸部１４が形成された位置の裏側に、静電容量センサや荷重センサなど、凸部１４に対する接触または押圧を検知するセンサ２７を配置する。そして、センサ２７が凸部１４に対する接触または押圧を検知した場合に、かご操作盤１０のスピーカ１３から例えば「１階です。○○○、×××、△△△があります。」といった階床名やフロア案内を音声出力する。なお、階床名とフロア案内のいずれか一方を音声出力する構成としてもよい。フロア案内は、例えば、商業施設であればその階床にある店舗名や駐車場などの設備の案内、駅舎であればその階床にあるプラットフォーム、改札口などの案内である。
【００２１】
階床名やフロア案内の音声出力は、視覚障害者が方向案内部材１５の凸部１４に対する触知により行先階登録ボタン１１ａが対応する出入口の方向を認識したタイミングに合わせて行われることが望ましい。そこで、センサ２７の検知範囲を凸部１４の頂角の部分に限定し、センサ２７が凸部１４の頂角に対する接触または押圧を検知したときに、かご操作盤１０のスピーカ１３から階床名やフロア案内を音声出力するようにしてもよい。
【００２２】
図８は、かご操作盤１０の制御機能を説明するためのブロック図である。上述の操作ボタン１１、センサ２７、スピーカ１３およびインジケータ１２ａ，１２ｂは、かご操作盤１０の動作を制御するコントロールユニット３０に接続されている。コントロールユニット３０は、２方向出入口エレベータの全体の動作を制御するエレベータ制御装置４０に接続されている。なお、図８では便宜上、１つの操作ボタン１１のみを図示しているが、この操作ボタン１１は、図３に例示した行先階登録ボタン１１ａ、ドア開ボタン１１ｂ、ドア閉ボタン１１ｃおよび非常呼びボタン１１ｄなどを含み、これらがコントロールユニット３０に接続されている。また、図８では便宜上、１つのセンサ２７のみを図示しているが、センサ２７は全ての行先階登録ボタン１１ａに対応して設けられ、これらがコントロールユニット３０に接続されている。
【００２３】
コントロールユニット３０は、いずれかの行先階登録ボタン１１ａが操作されると、エレベータ制御装置４０において操作された行先階登録ボタン１１ａに対応する階床が行先階として登録されるように、エレベータ制御装置４０に操作信号を送信する。また、コントロールユニット３０は、ドア開ボタン１１ｂやドア閉ボタン１１ｃが操作されると、その操作に応じてドア１３ａ，１３ｂの駆動を制御する。また、コントロールユニット３０は、非常呼びボタン１１ｄが操作されると、非常呼び信号をエレベータ制御装置４０に送信する。この場合、エレベータ制御装置４０を介して外部の監視センタの端末などと通信接続され、インタフォンなどによる通話が可能な状態とされる。
【００２４】
また、コントロールユニット３０は、内部の不揮発性メモリに、２方向出入口エレベータがサービスする階床ごとのフロア案内の音声データを保持している。そして、いずれかの行先階登録ボタン１１ａに対応するセンサ２７が、その行先階登録ボタン１１ａの周囲に配置された方向案内部材１５の凸部１４に対する接触または押圧を検知すると、その行先階登録ボタン１１ａに対応する行先階の階床名やフロア案内をスピーカ１３から音声出力させる。
【００２５】
また、コントロールユニット３０は、乗りかご１の現在位置（何階にいるか）や進行方向を示す情報をエレベータ制御装置４０から随時受信して、乗りかご１の運行状態を把握している。そして、コントロールユニット３０は、インジケータ１２ａが乗りかご１の現在位置を表す数字、インジケータ１２ｂが乗りかご１の進行方向を表す矢印などをそれぞれ表示するように、これらインジケータ１２ａ，１２ｂの表示を制御する。
【００２６】
ここで、特に本実施形態に係るかご操作盤１０では、乗りかご１がいずれかの階に着床したときに、コントロールユニット３０が、進行方向を表示するインジケータ１２ｂの表示を変化させ、その階でドアが開く出入口の方向を例えば横向きの矢印などをインジケータ１２ｂに表示させる。また、コントロールユニット３０は、乗りかご１がいずれかの階に着床したときに、その階でドアが開く出入口の方向に対応したドア開ボタン１１ｂを点滅させる。
【００２７】
例えば、かご操作盤１０に向かって右側の出入口２ａのドア３ａが開く場合は、図９に示すように、インジケータ１２ｂには右向きの矢印が表示され、右側の出入口２ａに対応するドア開ボタン１１ｂが点滅するように、かご操作盤１０の動作がコントロールユニット３０により制御される。また、かご操作盤１０に向かって左側の出入口２ｂのドア３ｂが開く場合は、図１０に示すように、インジケータ１２ｂには左向きの矢印が表示され、左側の出入口２ｂに対応するドア開ボタン１１ｂが点滅するように、かご操作盤１０の動作がコントロールユニット３０により制御される。これにより、乗りかご１の着床時にドアが開く方向を乗りかご１内の乗客に認識させることができる。特に、ドア開ボタン１１ｂの点滅は、弱視（ロービジョン）の視覚障害者に対してドアが開く方向を認識させる上で有効である。
【００２８】
以上、具体的な例を挙げながら詳細に説明したように、本実施形態に係るかご操作盤１０では、２方向の出入口２ａ，２ｂのうちの一方に対応する操作ボタン１１の周囲に、その操作ボタン１１が対応する出入口の方向を示す凸部１４を備えた方向案内部材１５が配置されている。したがって、視覚障害者は、方向案内部材１５の凸部１４に触れることで操作ボタン１１が対応する出入口の方向を触知により認識することができ、その操作ボタン１１がどちらの出入口に対応しているかを容易に把握することができる。
【００２９】
また、本実施形態に係るかご操作盤１０では、横方向の中央を境界Ｃとし、かご操作盤１０に向かって右側の出入口２ａに対応する操作ボタン１１が境界Ｃよりも右側に配置され、かご操作盤１０に向かって左側の出入口２ｂに対応する操作ボタン１１が境界Ｃよりも左側に配置されている。したがって、これら操作ボタン１１が２方向の出入口２ａ，２ｂのどちらに対応しているかを、視覚的にも容易に把握させることができる。
【００３０】
また、本実施形態に係るかご操作盤１０は、行先階登録ボタン１１ａの周囲に配置された方向案内部材１５の凸部１４に対する接触または押圧を検知するセンサ２７を備え、凸部１４に対する接触または押圧がセンサ２７により検知されたときに、行先階の階床名とフロア案内の少なくとも一方を音声出力する。したがって、視覚障害者による凸部１４への接触や押圧に連動して、その行先階登録ボタン１１ａの操作によって登録される行先階が何階でそこに何があるかを、視覚障害者に認識させることができる。また、センサ２７の検知範囲を凸部１４の頂角の部分に限定し、センサ２７が凸部１４の頂角に対する接触または押圧を検知したときに階床名やフロア案内を音声出力する構成とすれば、視覚障害者が方向案内部材１５の凸部１４に対する触知により行先階登録ボタン１１ａが対応する出入口の方向を認識したタイミングに合わせて、その行先階が何階でそこに何があるかを、視覚障害者に認識させることができる。
【００３１】
また、本実施形態に係るかご操作盤１０は、乗りかご１の着床時に、その階でドアが開く出入口の方向を例えば横向きの矢印などをインジケータ１２ｂに表示させたり、その階でドアが開く出入口の方向に対応したドア開ボタン１１ｂを点滅させたりする。したがって、乗りかご１の着床時にドアが開く方向を乗りかご１内の乗客に認識させることができる。
【００３２】
以上、本発明の実施形態を説明したが、上述の実施形態は、例として提示したものであり、発明の範囲を限定することは意図していない。上述の実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３３】
１  乗りかご、２ａ，２ｂ  出入口、３ａ，３ｂ  ドア、５  側板、１０  かご操作盤、１１  操作ボタン、１１ａ  行先階登録ボタン、１１ｂ  ドア開ボタン、１２ａ，１２ｂ  インジケータ、１３  スピーカ、１４  凸部、１５  方向案内部材、２７  センサ、３０  コントロールユニット。
【図１】
2019142708.tif 000003
【図２】
2019142708.tif 000004
【図３】
2019142708.tif 000005
【図４】
2019142708.tif 000006
【図５】
2019142708.tif 000007
【図６】
2019142708.tif 000008
【図７】
2019142708.tif 000009
【図８】
2019142708.tif 000010
【図９】
2019142708.tif 000011
【図１０】
2019142708.tif 000012
【手続補正書】
【提出日】平成31年1月23日(2019.1.23)
【手続補正１】
【補正対象書類名】特許請求の範囲
【補正対象項目名】全文
【補正方法】変更
【補正の内容】
【特許請求の範囲】
【請求項１】
２方向に出入口を有する乗りかごの側板に設置されるかご操作盤であって、
２方向の出入口のうちの一方に対応する操作ボタンの周囲に、当該操作ボタンが対応する出入口の方向を示す凸部を備えた方向案内部材が、各操作ボタンに対して個別に配置されていることを特徴とする２方向出入口エレベータ用かご操作盤。
【請求項２】
前記操作ボタンは、操作面をフェースプレートに設けられた開口部から外部に露出させるように配置され、
前記方向案内部材は、前記開口部の端縁に嵌め込むように装着されて前記操作面の周囲を囲むように配置された樹脂成型品よりなることを特徴とする請求項１に記載の２方向出入口エレベータ用かご操作盤。
【請求項３】
前記操作ボタンは、行先階を登録するために操作する行先階登録ボタンを含み、
前記行先階登録ボタンの周囲に配置される前記方向案内部材は、前記凸部に対する接触または押圧を検知するセンサを備え、
前記凸部に対する接触または押圧が前記センサにより検知されたときに、前記行先階の階床名とフロア案内の少なくとも一方を音声出力することを特徴とする請求項１または２に記載の２方向出入口エレベータ用かご操作盤。
【請求項４】
前記凸部は、対応する出入口の方向に頂角を持つ形状を有し、
前記センサの検知範囲は、前記凸部の前記頂角の部分に限定して設けられ、
前記センサが前記凸部の前記頂角に対する接触または押圧を検知したときに、前記行先階の階床名とフロア案内の少なくとも一方を音声出力することを特徴とする請求項３に記載の２方向出入口エレベータ用かご操作盤。
【請求項５】
前記操作ボタンは、対応する出入口のドアを開くために操作するドア開ボタンを含み、
前記乗りかごの着床時に、ドアが開放される出入口に対応する前記ドア開ボタンを点滅させることを特徴とする請求項１乃至４のいずれか一項に記載の２方向出入口エレベータ用かご操作盤。
【請求項６】
前記乗りかごの進行方向を表示するインジケータを備え、
前記乗りかごの着床時に、前記インジケータが、ドアが開く出入口の方向を表示することを特徴とする請求項１乃至５のいずれか一項に記載の２方向出入口エレベータ用かご操作盤。
【手続補正２】
【補正対象書類名】明細書
【補正対象項目名】０００５
【補正方法】変更
【補正の内容】
【０００５】
実施形態の２方向出入口エレベータ用かご操作盤は、２方向に出入口を有する乗りかごの側板に設置されるかご操作盤であって、２方向の出入口のうちの一方に対応する操作ボタンの周囲に、当該操作ボタンが対応する出入口の方向を示す凸部を備えた方向案内部材が、各操作ボタンに対して個別に配置されている。